(57)【特許請求の範囲】
【請求項１】
昇降路を昇降するケージと、車両を搭載する複数のパレットと、前記昇降路に隣接し前記パレットを格納する格納棚と、前記パレットに前記車両を入庫又は前記パレットから前記車両を出庫させる入出庫部と、を備えたエレベータ式駐車装置であって、
下端部が前記パレットの幅方向両端部にそれぞれ連結し上方に延びる側面と、該側面の上端を連結する天井面と、を有する囲み板と、
前記パレットの長手方向端部と該長手方向端部に近接する前記囲み板の長手方向端部とが形成する開口を前記パレットが前記入出庫部にないときに塞ぐ防護面と、を備え、
前記防護面は、前記格納棚及び前記昇降路、又は前記格納棚に設けられ、
前記パレットが前記入出庫部にあるときに、前記車両は、前記開口を通り前記パレットと前記囲み板とが形成する内部空間に出入りする、ことを特徴とするエレベータ式駐車装置。
【請求項２】
前記パレットの幅方向の長さは、前記車両の幅より５０ｃｍ以上長い、ことを特徴とする請求項１に記載のエレベータ式駐車装置。
【請求項３】
前記格納棚及び前記昇降路は、幅方向に水平に延びる一対のレール本体と、
一対の前記レール本体の長手方向内方に向けて延び該レール本体に回転可能に支持された回転軸を中心に回転し前記パレットの前記長手方向端部を下方から支持する複数の横行ローラと、を含む一対の横行レールを有し、
前記防護面は、前記格納棚及び前記昇降路、又は前記格納棚の前記レール本体に取り付けられ該レール本体から上方に延びる、ことを特徴とする請求項１に記載のエレベータ式駐車装置。
【請求項４】
鉛直に延びる複数の棚柱を有し、
前記防護面は、前記棚柱に取り付けられる、ことを特徴とする請求項１又は２に記載のエレベータ式駐車装置。
【請求項５】
水平面に沿って前記パレットを回転させる回転装置を前記入出庫部又は前記ケージに備え、
前記開口は、前記パレットの長手方向両端部に１つずつ設けられており、
入庫時には、前記車両が一方の前記開口から前記内部空間に乗り込み、
出庫時には、前記回転装置が前記パレットを回転して前記入出庫部の出入り口側に他方の前記開口を向け、前記車両が前記他方の前記開口を通って出庫する、ことを特徴とする請求項１に記載のエレベータ式駐車装置。
【発明の詳細な説明】
【技術分野】
【０００１】
本発明は、安全装置を備えたエレベータ式駐車装置に関する。
【背景技術】
【０００２】
機械式駐車装置は、地上に建設した建屋内部や、地下に形成した空間に機械装置を配設し、多数の車両を立体的に格納する設備であり、エレベータ方式、くし型エレベータ方式、垂直循環方式、多層循環方式、水平循環方式、平面往復方式等、様々な方式が用いられている。
【０００３】
エレベータ式の機械式駐車装置（以下、エレベータ式駐車装置）では、例えば半ドアで駐車された車両のドアが駐車中に開き、周囲の車両や周辺機器に衝突する等の事故を未然に防ぐため、たとえ車両のドアが開いてもパレットより外側に飛び出ないように、開いたドアを押える安全装置が設けられている。このような安全装置は、例えば特許文献１、２に開示されている。
【０００４】
特許文献１や２では、車両のドアがパレットより外側に出ることを防ぐため、安全装置としてパレットの幅方向端部や後端部に柵を設けている。特許文献１、２の安全装置は、開いた車両のドアがこの柵に衝突することにより、ドアがパレットの外側に出て周囲の車両や周辺機器に衝突するのを防いでいる。
【先行技術文献】
【特許文献】
【０００５】
【特許文献１】特開平７−１２７３０３号公報
【特許文献２】特開平８−１４４５６９号公報
【発明の概要】
【発明が解決しようとする課題】
【０００６】
例えば運転者が気付かないうちに子供が後部座席に乗り込み、寝てしまった場合のように、人が車両に乗車していることに気付かずに機械式駐車装置に車両を駐車してしまう可能性が生じ得る。エレベータ式駐車装置のように、パレットの格納棚が高さ方向に複数段設けられるタイプの機械式駐車装置では、パレットが高い位置にも格納される。このような機械式駐車装置では、人が車両に残されたまま駐車されたことを想定して、パレットから人が落下する事故を未然に防ぐための様々な安全対策が組み合わせて取られている。
【０００７】
近年、軽自動車等の小型車両が普及している。このような小型車両が、特許文献１、２に開示された駐車装置に駐車した場合、パレットの大きさに対して車両が小さいので、十分に人が通り抜けられるほどの大きさにドアが開放する可能性がある。
【０００８】
また最近、スライドドアを搭載した車両も普及している。スライドドアは、ドアを開くのに必要な車両の幅方向の幅が小さいため、特許文献１や２の安全装置が搭載されていても、人が車内から操作すればスライドドアが開いてしまう。
【０００９】
そのため人が搭乗したまま駐車してしまい、駐車中に車両のドアが開いた場合でも、人の落下事故を未然に防ぐことができる安全対策がさらに求められていた。
【００１０】
本発明は上述した問題点を解決するために創案されたものである。すなわち本発明の目的は、人を載せたまま車両が駐車しても、パレットから人が落下するのを未然に防ぐことができるエレベータ式駐車装置を提供することにある。
【課題を解決するための手段】
【００１１】
本発明によれば、昇降路を昇降するケージと、車両を搭載する複数のパレットと、前記昇降路に隣接し前記パレットを格納する格納棚と、前記パレットに前記車両を入庫又は前記パレットから前記車両を出庫させる入出庫部と、を備えたエレベータ式駐車装置であって、
下端部が前記パレットの幅方向両端部にそれぞれ連結し上方に延びる側面と、該側面の上端を連結する天井面と、を有する囲み板と、
前記パレットの長手方向端部と該長手方向端部に近接する前記囲み板の長手方向端部とが形成する開口を前記パレットが前記入出庫部にないときに塞ぐ防護面と、を備え、
前記防護面は、前記格納棚及び前記昇降路、又は前記格納棚に設けられ、
前記パレットが前記入出庫部にあるときに、前記車両は、前記開口を通り前記パレットと前記囲み板とが形成する内部空間に出入りする、ことを特徴とするエレベータ式駐車装置が提供される。
【００１２】
また前記パレットの幅方向の長さは、前記車両の幅より５０ｃｍ以上長い。
【００１３】
また前記格納棚及び前記昇降路は、幅方向に水平に延びる一対のレール本体と、
一対の前記レール本体の長手方向内方に向けて延び該レール本体に回転可能に支持された回転軸を中心に回転し前記パレットの前記長手方向端部を下方から支持する複数の横行ローラと、を含む一対の横行レールを有し、
前記防護面は、前記格納棚及び前記昇降路、又は前記格納棚の前記レール本体に取り付けられ該レール本体から上方に延びる。
【００１４】
また鉛直に延びる複数の棚柱を有し、
前記防護面は、前記棚柱に取り付けられる。
【００１５】
また水平面に沿って前記パレットを回転させる回転装置を前記入出庫部又は前記ケージに備え、
前記開口は、前記パレットの長手方向両端部に１つずつ設けられており、
入庫時には、前記車両が一方の前記開口から前記内部空間に乗り込み、
出庫時には、前記回転装置が前記パレットを回転して前記入出庫部の出入り口側に他方の前記開口を向け、前記車両が前記他方の前記開口を通って出庫する。
【発明の効果】
【００１６】
上述した本発明の装置によれば、パレットの上面を側面、天井面、及び防護面で取り囲むので、万が一、車両が人を載せたままエレベータ式駐車装置に駐車しても、人がパレットから落下しない。
【００１７】
そのため人を載せたまま車両が駐車しても、人がパレットより外部に出るのを囲み板と防護面が妨げるので、パレットから人が落下するのを未然に防ぐことができる。
【図面の簡単な説明】
【００１８】
【図１】本発明のエレベータ式駐車装置の全体構成図である。
【図２】図１の矢視図である。
【図３】本発明のパレット、囲み板、及び防護面の斜視図である。
【図４】運転者がパレット上で車両に乗り込むときの説明図である。
【発明を実施するための形態】
【００１９】
以下、本発明の実施形態を図面に基づいて説明する。なお、各図において共通する部分には同一の符号を付し、重複した説明を省略する。
【００２０】
図１は、本発明のエレベータ式駐車装置の全体構成図である。
この図において、本発明のエレベータ式駐車装置１０は、複数のパレット２、昇降路３、入出庫部４、格納棚１４、横行レール１６、横行トレイ１７、回転装置１８、鉛直に延びる複数の棚柱６、囲み板３０、及び防護面５０を備える。本発明において、囲み板３０と防護面５０とが安全装置としての機能を有する。なお、本発明のエレベータ式駐車装置１０は、横行トレイ１７と回転装置１８を備えていなくてもよい。
【００２１】
図２は、図１の矢視図である。図２（Ａ）は、図１のＡ−Ａ矢視図であり、図２（Ｂ）は図１のＢ−Ｂ矢視図である。図２（Ｂ）では、格納棚１４の描写を省略している。
【００２２】
ケージ１２は、パレット２に車両１を載せて鉛直な昇降路３を昇降する。ケージ１２は、上方から吊り下げられ、ケージ昇降装置２０（例えばケージ吊上げ装置）により昇降する。
【００２３】
格納棚１４は、昇降路３に隣接し上下方向に間隔を隔てて複数が配置されており、パレット２を格納する。
【００２４】
格納棚１４は、この例では、昇降路３の両側に、車両１の幅方向に設けられているが、片側のみであってもよい。以下、「幅方向」とは、特に明記しない限り車両１の幅方向を意味する。また以下、幅方向に直交する水平方向を「長手方向」と呼ぶ。さらに幅方向のどちらか一方を「左」又は「右」とする。
【００２５】
格納棚１４及び昇降路３は、幅方向に水平に延びる一対のレール本体１６ａと、一対のレール本体１６ａの長手方向内方に向けて延びレール本体１６ａに回転可能に支持された回転軸１６ｃを中心に回転し、パレット２の長手方向端部を下方から支持する複数の横行ローラ１６ｂと、を含む一対の横行レール１６を有する。横行レール１６は、その両端が棚柱６に連結され、支持される。
【００２６】
横行トレイ１７は、各格納棚１４に設置され、昇降路３と格納棚１４との間で横行可能であり、パレット２を水平に横行させる。以下、「横行」とは、パレット２を幅方向に水平移動させることをいう。
【００２７】
回転装置１８は、パレット２を水平面に沿って回転させる装置である。回転装置１８は、入出庫部４とケージ１２のいずれに設けられていてもよい。
【００２８】
図１に示すエレベータ式駐車装置１０は、入出庫部４が昇降路３の最下端に設けられた下部乗入れ方式である。この例では、入出庫部４において、ケージ１２で支持されたパレット２に車両１が直接入庫し、かつこのパレット２から外部に出庫するようになっている。
なお、本発明は、下部乗入れ方式のエレベータ式駐車装置１０に限定されず、中間乗入れ方式や上部乗入れ方式であってもよい。
【００２９】
パレット２は、その上に車両１を載せる平面視矩形形状のプレス成形板又は溶接構造板である。この例では、パレット２は、横行トレイ１７の上に水平に載せられ、横行トレイ１７と共に横行するようになっている。
【００３０】
図３は、本発明のパレット２、囲み板３０、及び防護面５０の斜視図である。図３（Ａ）は、パレット２が入出庫部４にあるときのパレット２と囲み板３０の斜視図であり、図３（Ｂ）は、パレット２が格納棚１４又は昇降路３にあるときのパレット２、囲み板３０、及び防護面５０の斜視図である。
図４は、運転者がパレット上で車両に乗り込むときの説明図である。
【００３１】
図３（Ａ）に示すように、囲み板３０は、下端部がパレット２の幅方向両端部にそれぞれ連結し上方に延びる側面３１と、側面３１の上端を連結する天井面３２と、を有する。囲み板３０は、図３（Ａ）に示すような平板であってもよいが、パレット上の人がパレット２の外部に出なければ、その他の構成でもよい。例えば囲み板３０は、金網などの網状構造物であってもよく、人が通り抜けられない幅の間隔で金属製の棒が並んだ柵であってもよい。
【００３２】
また側面３１は、幅方向外方に湾曲する曲面であってもよい。同様に天井面３２は、上方に湾曲する曲面であってもよい。側面３１と天井面３２は別々に成形され連結して囲み板３０を形成していてもよく、一体成型されていてもよい。
【００３３】
パレット２の上面、側面３１のパレット２の上面側を向く面、及び天井面３２の下面に囲まれた空間を、以下、内部空間３４と呼ぶ。本発明のエレベータ式駐車装置１０は、この内部空間３４に車両１を搭載する。
【００３４】
パレット２の幅方向の長さは、パレット上に搭載された車両１の運転席の扉を側面３１に衝突させずに開放し、運転者が車両１に出入り可能な長さが必要である。一般に、人が車両１に出入りするためには、車両１と隣接する障害物との間には、約５０ｃｍ以上の幅の隙間が必要である。パレット２が上面に凹凸のない平坦な板であり、パレット２の幅方向の長さが車両１の幅より５０ｃｍ以上長ければ、車両１をパレット２の助手席側に寄せて停めることにより、車両１と側面３１との間の間隔を５０ｃｍ以上確保できる。そのため、パレット２の幅方向の長さは、車両１の幅より５０ｃｍ以上長い必要がある。
パレット２の幅が車両１の幅より５０ｃｍ以上長いことにより、側面３１と車両１との間の間隔を５０ｃｍ以上確保できる。それにより運転者が側面３１に車両１のドアを接触させることなく、車両１に乗降することができる。
【００３５】
例えば図３（Ａ）に示すようにパレット２の中央の上面が突出している場合、車両１を幅方向のどちらかに寄せてパレット２に駐車することはできない。パレット２がこのような形状の場合は、右ハンドルと左ハンドルの両方の車両１に対応できるように、車両１と左右の側面３１との間隔は、それぞれ５０ｃｍ以上確保できることが好ましい。そのため、パレット２の幅方向の長さは、車両１の幅より１００ｃｍ以上長いことが好ましい。
【００３６】
側面３１の高さは、パレット２に立った大人の頭が天井面３２に接触しない高さ（例えば２ｍ２０ｃｍ以上）であることが好ましい。
【００３７】
また囲み板３０の長手方向の長さは、パレット２の長手方向の長さと同じであることが好ましい。それによりパレット２が格納棚１４や昇降路３にあるときの囲み板３０と防護面５０との間の隙間を狭くすることができる。つまり、パレット２に搭載する車両１や囲み板３０に防護面５０が干渉しないように、パレット２の長手方向端部よりパレット２の上面側に突出しないように防護面５０は設けられる。防護面５０と囲み板３０との隙間は、人が通り抜けられない長さの間隔に保つ必要がある。そのため、長手方向において囲み板３０が、パレット２の一方の長手方向端部と同じ位置か近接する位置から他方の長手方向端部と同じ位置か近接する位置まで延びていることにより、囲み板３０と防護面５０との隙間を狭く保つことができる。
【００３８】
なお、囲み板３０が防護面５０やその他の周辺機器若しくは周辺の車両１に干渉せず、または防護面５０と囲み板３０との間の隙間から人が出ないのであれば、囲み板３０の長手方向端部は、パレット２の長手方向端部より防護面５０側であってもよく、パレット２の上面側（パレット２の長手方向における内側）であってもよい。
【００３９】
パレット２の長手方向端部には、パレット２の外部から内部空間３４に通じる開口３３が設けられている。言い換えると、開口３３は、パレット２の長手方向端部と、その長手方向端部に近接する囲み板３０の長手方向端部とが形成する内部空間３４への出入り口である。車両１は、パレット２が入出庫部４にあるときに、開口３３を通りパレット２と囲み板３０とが形成する内部空間３４に出入りする。つまり入庫時に車両１は、開口３３を通って、パレット２の長手方向一端部から自走して内部空間３４に乗り込む。
【００４０】
開口３３は、長手方向におけるパレット２の一端部にのみ設けられていてもよいが、両端部に設けられていることが好ましい。パレット２の一端部にのみ開口３３が設けられている場合、入庫時又は出庫時に車両１が後方に走行する必要がある。
パレット２の長手方向両端部に１つずつ開口３３が設けられている場合は、エレベータ式駐車装置１０は、回転装置１８を備えることが好ましい。
【００４１】
それにより入庫時には、車両１が一方の開口３３から内部空間３４に乗り込み、出庫時には、回転装置１８がパレット２を回転して入出庫部４の出入り口側に他方の開口３３を向け、車両１が他方の開口３３を通って出庫することができるので、常に前方に向けて走行することができる。
【００４２】
防護面５０は、パレット２が入出庫部４にないときに開口３３を塞ぐ面をもつ部材である。防護面５０は、例えば壁面、金網、フェンス、柵、及び平板のいずれでもよいが、内部空間３４から人が出なければその他の構成でもよい。また防護面５０は、人が防護面５０と囲み板３０との間の隙間を通り抜けられない位置であり、かつパレット２、囲み板３０、パレット２に搭載した車両１、若しくはケージ１２や横行トレイ１７等の周辺機器に干渉しない位置に設けられている。
【００４３】
例えば防護面５０は、格納棚１４に設けられる。それによりパレット２が格納棚１４に格納されているときに、開口３３を塞ぐので、万が一、人が車両１に取り残されていても、内部空間３４から外には出られない。それにより本発明のエレベータ式駐車装置１０は、人がパレット２から落下するのを未然に防ぐことができる。
【００４４】
またパレット２が昇降路３に沿って移動する時間は、約１分であり、格納棚１４にパレット２がある時間に比べれば短時間ではあるが、防護面５０が昇降路３に設けられていてもよい。それによりパレット２の移動中にパレット２から人が落下するのを未然に防ぐことができる。
【００４５】
防護面５０は、格納棚１４及び昇降路３のいずれか一方又は双方のレール本体１６ａに取り付けられレール本体１６ａから上方に延びることが好ましい。
【００４６】
もしくは防護面５０は、棚柱６に取り付けられていてもよい。この場合、例えば幅方向の防護面５０の両端が棚柱６に固定されていてもよい。
【００４７】
また例えば本発明のエレベータ式駐車装置１０が建屋内部のボイド（すなわち建屋の内部空洞）に設けられる場合、ボイドの内壁が防護面５０を形成していてもよい。その場合、ボイドに金網、フェンス、柵、若しくは平板が取り付けられていてもよい。もしくは、ボイドを形成する壁面そのものが防護面５０であってもよい。
【００４８】
パレット２が格納棚１４又は昇降路３にあるときの囲み板３０と防護面５０との間には、パレット２の移動時に囲み板３０と防護面５０が互いに衝突しない隙間が設けられている。この隙間の間隔は、人が通り抜けられない長さの間隔である。囲み板３０と防護面５０との隙間の間隔は、例えば１０ｃｍであるが、人が通れなければ、これより長くてもよい。また囲み板３０や車両１若しくはパレット２が防護面５０に衝突しなければ、隙間の間隔は、これより短くてもよい。
【００４９】
また囲み板３０と防護面５０との間隔が、それらの隙間を人が通り抜けられない長さであるなら、防護面５０は、レール本体１６ａから鉛直方向上方に延びていてもよい。
【００５０】
上述した本発明の装置によれば、パレット２の上面を側面３１、天井面３２、及び防護面５０で取り囲むので、万が一、車両１が人を載せたままエレベータ式駐車装置１０に駐車しても、人がパレット２から落下しない。
【００５１】
そのため人を載せたまま車両１が駐車しても、人がパレット２より外部に出るのを囲み板３０と防護面５０が妨げるので、パレット２から人が落下するのを未然に防ぐことができる。
【００５２】
なお本発明は上述した実施の形態に限定されず、本発明の要旨を逸脱しない範囲で種々変更を加え得ることは勿論である。
【符号の説明】
【００５３】
１  車両、２  パレット、３  昇降路、４  入出庫部、６  棚柱、
１０  エレベータ式駐車装置、１２  ケージ、１４  格納棚、
１６  横行レール、１６ａ  レール本体、１６ｂ  横行ローラ、１６ｃ  回転軸、
１７  横行トレイ、１８  回転装置、２０  ケージ昇降装置、
３０  囲み板、３１  側面、３２  天井面、３３  開口、３４  内部空間、
５０  防護面
【図１】
0006491573.tif 000002
【図２】
0006491573.tif 000003
【図３】
0006491573.tif 000004
【図４】
0006491573.tif 000005